(57)【要約】【課題】電力消費を抑制しつつ、外出時に電気製品の電源切り忘れを防止し、利用者の利便性の向上を図ること。【解決手段】携帯型電子機器と、この携帯型電子機器を充電する充電器と、を備え、携帯型電子機器あるいは充電器のいずれかに接続された所定の電気製品の電源状態を制御する遠隔制御システムであって、携帯型電子機器と充電器との充電接続状態が解除されたときに相互に無線通信を行う無線通信手段と、無線通信手段の通信状態に応じて電気製品に対する電源のオンオフ制御を行う電源制御手段と、を備えた。【選択図】図１
2007281857.tif 000002
【特許請求の範囲】
【請求項１】
携帯型電子機器と、この携帯型電子機器を充電する充電器と、を備え、前記携帯型電子機器あるいは前記充電器のいずれかに接続された所定の電気製品の電源状態を制御する遠隔制御システムであって、
前記携帯型電子機器と前記充電器との充電接続状態が解除されたときに相互に無線通信を行う無線通信手段と、前記無線通信手段の通信状態に応じて前記電気製品に対する電源のオンオフ制御を行う電源制御手段と、
を備えたことを特徴とする遠隔制御システム。
【請求項２】
前記電源制御手段は、前記無線通信手段による通信が圏外となったときに前記電気製品に対する電源をオフにする、ことを特徴とする請求項１記載の遠隔制御システム。
【請求項３】
前記無線通信手段は、前記通信が圏外となったときに当該通信を停止する、ことを特徴とする請求項１又は２記載の遠隔制御システム。
【請求項４】
前記電源制御手段は、予め定められた前記電気製品の電源をオフにする、ことを特徴とする請求項１，２又は３記載の遠隔制御システム。
【請求項５】
前記電源制御手段は、電源をオフにした前記電気製品を特定する機能を有すると共に、
この特定した前記電気製品を示す情報を出力する出力手段を備えた、
ことを特徴とする請求項１，２，３又は４記載の遠隔制御システム。
【請求項６】
前記電源制御手段は、電源をオフにした前記電気製品及び時刻を特定する機能を有すると共に、
前記出力手段は、特定した前記電気製品を示す情報と時刻情報とを出力する、
ことを特徴とする請求項５記載の遠隔制御システム。
【請求項７】
前記出力手段は、前記携帯型電子機器に装備された表示部に表示出力する、ことを特徴とする請求項５又は６記載の遠隔制御システム。
【請求項８】
前記充電器は、前記電気製品に電源コンセント部及び信号線内蔵電源コードを介して接続されており、
前記電源制御手段は、前記充電器から前記信号線内蔵電源コードを通じて前記電気製品の電源をオフにする、
ことを特徴とする請求項１，２，３，４，５，６又は７記載の遠隔制御システム。
【請求項９】
前記充電器は、前記電気製品に電源を供給する電源コンセント部に接続されていると共に、
前記電源制御手段は、前記充電器から前記電源コンセント部の電源供給状態を制御して前記電気製品の電源をオフにする、
ことを特徴とする請求項１，２，３，４，５，６，７又は８記載の遠隔制御システム。
【請求項１０】
前記携帯型電子機器は、携帯電話である、ことを特徴とする請求項１，２，３，４，５，６，７，８又は９記載の遠隔制御システム。
【請求項１１】
携帯型電子機器との無線通信状態に応じて接続された所定の電気製品に対する電源のオンオフ制御を行う充電器から充電を受ける携帯型電子機器であって、
前記充電器に対する充電接続状態が解除されたときに、前記充電器と無線通信を行う無線通信手段を備えた、
ことを特徴とする携帯型電子機器。
【請求項１２】
前記無線通信手段は、前記通信が圏外となったときに当該通信を停止する、ことを特徴とする請求項１１記載の携帯型電子機器。
【請求項１３】
表示部を備えると共に、
前記充電器にて電源がオフにされた前記電気製品を特定する情報の通知を前記充電器から受けつけて前記表示部に出力する出力手段を備えた、
ことを特徴とする請求項１１又は１２記載の携帯型電子機器。
【請求項１４】
携帯型電子機器との無線通信状態に応じて接続された所定の電気製品に対する電源のオンオフ制御を行う充電器から充電を受けると共に、当該充電器と無線通信を行う無線通信器を備えた携帯型電子機器に、
前記充電器に対する充電接続状態が解除されたときに、前記充電器と無線通信を行う無線通信制御手段、
を実現させるためのプログラム。
【請求項１５】
所定の電気製品に接続されると共に、携帯型電子機器を充電する充電器であって、
前記携帯型電子機器に対する充電接続状態が解除されたときに当該携帯型電子機器と無線通信を行う無線通信手段と、この無線通信手段の通信状態に応じて前記電気製品に対する電源のオンオフ制御を行う電源制御手段と、
を備えたことを特徴とする充電器。
【請求項１６】
前記電源制御手段は、前記無線通信手段による通信が圏外となったときに前記電気製品に対する電源をオフにする、ことを特徴とする請求項１５記載の充電器。
【請求項１７】
前記無線通信手段は、前記通信が圏外となったときに当該通信を停止する、ことを特徴とする請求項１５又は１６記載の充電器。
【請求項１８】
前記電源制御手段は、電源をオフにした前記電気製品を特定する機能を有すると共に、
この特定した前記電気製品を示す情報を前記携帯型電子機器の表示部に表示するよう当該携帯型電子機器に出力する出力手段を備えた、
ことを特徴とする請求項１５，１６又は１７記載の充電器。
【請求項１９】
所定の電気製品に接続されると共に、携帯型電子機器を充電し、当該携帯型電子機器と無線通信を行う無線通信器を備えた充電器の動作を制御する制御装置に、
前記携帯型電子機器に対する充電接続状態が解除されたときに当該携帯型電子機器と無線通信を行う無線通信制御手段と、この通信状態に応じて前記電気製品に対する電源のオンオフ制御を行う電源制御手段と、
を実現させるためのプログラム。
【請求項２０】
携帯型電子機器と、この携帯型電子機器を充電する充電器と、を備え、前記携帯型電子機器あるいは前記充電器のいずれかに接続された所定の電気製品の電源状態を制御する遠隔制御方法であって、
前記携帯型電子機器と前記充電器とに装備された各無線通信器にて、当該携帯型電子機器と充電器との充電接続状態が解除されたときに相互に無線通信を行う無線通信工程と、この通信状態に応じて前記電気製品に対する電源のオンオフ制御を行う電源制御工程と、
を有することを特徴とする遠隔制御方法。
【請求項２１】
前記電源制御工程は、前記無線通信器による通信が圏外となったときに前記電気製品に対する電源をオフにする、ことを特徴とする請求項２０記載の遠隔制御方法。
【請求項２２】
前記無線通信工程は、前記通信が圏外となったときに当該通信を停止する、ことを特徴とする請求項２０又は２１記載の遠隔制御方法。
【請求項２３】
前記電源制御工程は、予め定められた前記電気製品の電源をオフにする、ことを特徴とする請求項２０，２１又は２２記載の遠隔制御方法。
【請求項２４】
前記電源制御工程は、電源をオフにした前記電気製品を特定し、
その後、特定した前記電気製品を示す情報を出力する出力工程を備えた、
ことを特徴とする請求項２０，２１，２２又は２３記載の遠隔制御方法。
【発明の詳細な説明】
【技術分野】
【０００１】
本発明は、遠隔制御システムにかかり、特に、携帯電話と充電器とを用いて電気製品の電源状態を制御する遠隔制御システムに関する。
【背景技術】
【０００２】
外出の際に慌しく急いでいたり、うっかりミスにより、家電製品の電源を切り忘れることで、電気の無駄な消費、または、熱を持つ家電製品（例えば、電気ポットや電気ストーブなど）では、火災などの危険を伴うことがある。このような事態に対応すべく、ホームネットワークを用いた技術が開発されている。例えば、下記特許文献１に開示されているホームネットワークシステムは、電源のオン／オフ制御を一括して行い、各家電製品の主電源をオン／オフさせる煩わしさを解消する、という技術である。しかし、このような技術は、電源を一括でオン／オフできるものの、かかる操作を忘れてしまうと、結局のところ各家電製品の電源切り忘れの防止を実現できることができない。
【０００３】
一方で、近年、携帯電話は一人に一台の時代となり、通常、大半の人が外出時に持ち歩いている。そして、上述したように、外出時に家電製品の電源を切り忘れた場合においても、電源を自動的にオフする方法が必要であり、大半の人が外出の際に携帯電話を持ち出すことに着目し、下記の特許文献２，３に示すように、家電製品の電源の切り忘れ防止方法が提案されている。
【０００４】
具体的に、特許文献２には、宅内に親機と子機とを装備しており、子機が携帯電話である場合に、宅内では、親機と子機との関係にあることから、子機が内線待受可能か否かが常に親機にて監視されており、子機が携帯電話として宅外に持ち出され、内線待受可能範囲外になった場合に、電源オフとする、というシステムが開示されている。また、特許文献３には、携帯電話が充電器から外された時間を監視し、これに応じて家電製品の電源を切る、という技術が開示されている。
【０００５】
【特許文献１】特開２００２−０３２１５６号公報
【特許文献２】特開２００１−１８９８０４号公報
【特許文献３】特開平６−１１３０３１号公報
【発明の開示】
【発明が解決しようとする課題】
【０００６】
しかしながら、上記従来例においては、以下のような不都合があった。まず、特許文献２に開示の技術では、親機と子機との通信状態が常に親機にて監視されていなければならず、電力が無駄に消費されてしまう、という問題が生じる。また、通信状態を監視するために、携帯電話が親機に対する子機である関係が要求され、利用可能な携帯電話が限定されてしまう、という問題が生じる。さらに、特許文献３の技術では、単に携帯電話を充電器から外したままの状態の場合もあり、在宅中でも家電の電源がオフになってしまう、という事態も生じ、利便性に欠ける。
【０００７】
このため、本発明では、上記従来例の有する不都合を改善し、特に、電力消費を抑制しつつ、外出時に電気製品の電源切り忘れを防止し、利用者の利便性の向上を図ること、をその目的とする。
【課題を解決するための手段】
【０００８】
そこで、本発明の一形態である遠隔制御システムは、
携帯型電子機器と、この携帯型電子機器を充電する充電器と、を備え、携帯型電子機器あるいは充電器のいずれかに接続された所定の電気製品の電源状態を制御する遠隔制御システムであって、
携帯型電子機器と充電器との充電接続状態が解除されたときに相互に無線通信を行う無線通信手段と、無線通信手段の通信状態に応じて電気製品に対する電源のオンオフ制御を行う電源制御手段と、
を備えたことを特徴としている。
【０００９】
そして、電源制御手段は、無線通信手段による通信が圏外となったときに電気製品に対する電源をオフにする、ことを特徴としている。また、無線通信手段は、通信が圏外となったときに当該通信を停止する、ことを特徴としている。さらに、電源制御手段は、予め定められた電気製品の電源をオフにする、ことを特徴としている。
【００１０】
上記発明によると、充電状態解除時に、携帯型電子機器と充電器とが無線通信を開始して、その通信状態に応じて、電気製品の電源をオンオフ制御する。特に、無線通信が圏外になったときに電気製品の電源をオフにする。従って、無線通信の通信状況を監視することで、例えば、圏外になったときには携帯型電子機器（例えば、携帯電話）のユーザが外出したと判断することができるため、消費電力を抑制しつつ、電源の消し忘れを防止することができる。そして、通信圏外になったときに無線通信を停止することで、さらなる省電力化を図ることができる。また、電源をオフにする電気製品を予め定めておくことで、電源をオフにする必要が無い電気製品は電源オンのままにしておくことができ、ユーザの利便性の向上を図ることができる。なお、電源をオフ制御は、携帯型電子機器から電波を用いたデータ通信にて行ってもよく、充電器にて有線ネットワークを介して行ってもよい。
【００１１】
また、電源制御手段は、電源をオフにした電気製品を特定する機能を有すると共に、この特定した電気製品を示す情報を出力する出力手段を備えた、ことを特徴としている。このとき、電源制御手段は、電源をオフにした電気製品及び時刻を特定する機能を有すると共に、出力手段は、特定した電気製品を示す情報と時刻情報とを出力してもよい。そして、出力手段は、携帯型電子機器に装備された表示部に表示出力する、ことを特徴としている。これにより、どの電気製品の電源を消し忘れたかを、ユーザが確認することができ、かかるユーザに対して注意を喚起することができる。
【００１２】
また、充電器は、電気製品に電源コンセント部及び信号線内蔵電源コードを介して接続されており、電源制御手段は、充電器から信号線内蔵電源コードを通じて電気製品の電源をオフにする、ことを特徴としている。また、充電器は、電気製品に電源を供給する電源コンセント部に接続されていると共に、電源制御手段は、充電器から電源コンセント部の電源供給状態を制御して電気製品の電源をオフにする、ことを特徴としている。
【００１３】
これにより、充電器から電気製品の電源をオフにする場合には、当該電気製品に対して別途、ネットワークを構築する必要が無く、設備コストの削減を図ることができる。特に、電源コンセント部を制御して電気製品の電源をオフにする場合には、電源コードに信号線を内蔵する必要が無いため、さらなる設備コストの削減を図ることができる。なお、充電器から電源をオフにすることで、携帯型電子機器から無線通信などで電源のオフを制御する必要が無く、電気製品に無線通信機能などを装備する必要はない。
【００１４】
また、本発明の他の形態である携帯型電子機器は、携帯型電子機器との無線通信状態に応じて接続された所定の電気製品に対する電源のオンオフ制御を行う充電器から充電を受ける携帯型電子機器であって、充電器に対する充電接続状態が解除されたときに、充電器と無線通信を行う無線通信手段を備えた、ことを特徴としている。つまり、本発明では、上述した遠隔制御システムを構成する携帯型電子機器をも提供している。さらに、本発明では、携帯型電子機器との無線通信状態に応じて接続された所定の電気製品に対する電源のオンオフ制御を行う充電器から充電を受けると共に、当該充電器と無線通信を行う無線通信器を備えた携帯型電子機器に、充電器に対する充電接続状態が解除されたときに、充電器と無線通信を行う無線通信制御手段、を実現させるためのプログラムをも提供している。
【００１５】
また、本発明の他の形態である充電器は、所定の電気製品に接続されると共に、携帯型電子機器を充電する充電器であって、携帯型電子機器に対する充電接続状態が解除されたときに当該携帯型電子機器と無線通信を行う無線通信手段と、この無線通信手段の通信状態に応じて電気製品に対する電源のオンオフ制御を行う電源制御手段と、を備えたことを特徴としている。つまり、本発明では、上述した遠隔制御システムを構成する充電器をも提供している。そして、上記電源制御手段は、無線通信手段による通信が圏外となったときに電気製品に対する電源をオフにする、ことを特徴としており、また、電源制御手段は、電源をオフにした電気製品を特定する機能を有すると共に、この特定した電気製品を示す情報を携帯型電子機器の表示部に表示するよう当該携帯型電子機器に出力する出力手段を備えた、ことを特徴としている。さらに、本発明では、所定の電気製品に接続されると共に、携帯型電子機器を充電し、当該携帯型電子機器と無線通信を行う無線通信器を備えた充電器の動作を制御する制御装置に、携帯型電子機器に対する充電接続状態が解除されたときに当該携帯型電子機器と無線通信を行う無線通信制御手段と、この通信状態に応じて電気製品に対する電源のオンオフ制御を行う電源制御手段と、を実現させるためのプログラムをも提供している。
【００１６】
また、本発明の他の形態である遠隔制御方法は、
携帯型電子機器と、この携帯型電子機器を充電する充電器と、を備え、携帯型電子機器あるいは充電器のいずれかに接続された所定の電気製品の電源状態を制御する遠隔制御方法であって、
携帯型電子機器と充電器とに装備された各無線通信器にて、当該携帯型電子機器と充電器との充電接続状態が解除されたときに相互に無線通信を行う無線通信工程と、この通信状態に応じて電気製品に対する電源のオンオフ制御を行う電源制御工程と、を有することを特徴としている。
【００１７】
そして、電源制御工程は、無線通信器による通信が圏外となったときに電気製品に対する電源をオフにする、ことを特徴としている。また、無線通信工程は、通信が圏外となったときに当該通信を停止する、ことを特徴としている。また、電源制御工程は、予め定められた電気製品の電源をオフにする、ことを特徴としている。さらに、電源制御工程は、電源をオフにした電気製品を特定し、その後、特定した電気製品を示す情報を出力する出力工程を備えた、ことを特徴としている。
【００１８】
上述した構成の方法等の発明であっても、上記接続制御システムと同様に作用するため、上述した本発明の目的を達成することができる。
【発明の効果】
【００１９】
本発明は、以上のように構成され機能するので、これによると、充電状態解除時に、携帯型電子機器と充電器とが無線通信を開始して、その通信状態に応じて電気製品の電源がオンオフ制御されるため、ユーザの外出時等に合わせて電気製品の電源をオフにすることができる。従って、携帯型電子機器と充電器とが必要なときにのみ無線通信を行うため、消費電力を抑制しつつ、電源の消し忘れを防止することができ、ユーザの利便性の向上を図ることができる、という従来にない優れた効果を有する。
【発明を実施するための最良の形態】
【００２０】
本発明は、携帯型電子機器が充電器から取り外されたときに無線通信を開始し、その通信状況を調べることでユーザが外出したことを検出し、これに応じて電気製品の電源のオンオフを制御する、という点に特徴を有する。以下、実施例にてその構成及び動作を説明する。
【００２１】
なお、実施例では、携帯型電子機器の一例として携帯電話を挙げて説明するが、後述するように、充電器と無線通信可能な電子機器であれば、ＰＤＡやノートパソコン、オーディオプレーヤーなどであってもよい。また、実施例では、一般家庭を想定して説明しているが、企業のオフィスに設置された電気製品の電源を制御するよう設置してもよい。
【実施例１】
【００２２】
本発明の第１の実施例を、図１乃至図６を参照して説明する。図１は、本発明の全体構成を示す概略図であり、図２乃至図４は、携帯電話と充電器の構成を示すブロック図である。図５は、携帯電話に記憶されるデータの一例を示す図である。図６は、携帯電話及び充電器の動作を示すフローチャートである。
【００２３】
［構成］
本実施例における遠隔制御システムは、ユーザの行動によって、家屋内に設置された電気製品６１〜６４の電源を制御する、というシステムである。特に、本実施例では、携帯電話１（携帯型電子機器）と、これに充電器する充電器２と、を用いて、電灯６１やテレビ受像機６２、冷蔵庫６３、その他家電６４といった電気製品の電源を遠隔操作する、という構成を採っている。以下、具体的に説明する。
【００２４】
図１に示すように、まず、家屋内には、携帯電話１を充電する充電器２が設置されており、信号線内臓電源コード４にてコンセント部３（電源コンセント部）に接続され、電源供給されている。そして、この充電器２には、携帯電話１のユーザが在宅している際には、当該携帯電話１が接続され充電された状態になる。
【００２５】
また、コンセント部３からは、上記充電器２と同様に、各電気製品６１〜６４に対して信号線内臓電源コード４が接続されており、電源供給されている。また、コンセント部３では、上記充電器２に接続された信号線内臓電源コード４と、各電気製品６１〜６４に接続された信号線内臓電源コード４と、をデータ通信可能なよう接続する信号ラインネットワーク５が構築されている。つまり、信号ラインネットワーク５と信号線内臓電源コード４、さらには、他の信号線が接続され、充電器２や電灯６１などの家庭内の電気製品やパソコンなどの電子機器との間で、相互にデータ通信可能なよう構成されている。これに伴い、各電気製品６１〜６４には、それぞれ信号線内臓電源コード４を通じて送信される信号を受信する信号受信機６１ａ〜６４ａが装備されており、後述するように、充電器２からの電源オンオフ指令を受け付けて、各電気製品６１〜６４の電源をオンオフするよう作動する。
【００２６】
次に、携帯電話１と充電器２の構成について、図２乃至図４を参照して説明する。まず、図２を参照して、携帯電話１及び充電器２の基本構成について説明する。
【００２７】
図２に示すように、携帯電話１は、携帯電話１全体の動作を制御する制御部１１と、携帯電話１が充電器２に設置されることで当該携帯電話１の充電を行う充電部１２と、後述するように携帯電話１が充電器２から外された時に当該携帯電話１と充電器２の間にて相互無線通信を行う相互無線通信部１３と、装置全体の設定の格納や電源を制御する家電製品の情報を格納するメモリ部１４と、発着呼、時計、および、充電の状況などを表示する液晶表示部１５と、を備えている。
【００２８】
また、充電器２は、図２に示すように、充電器２全体の動作を制御する制御部２１と、上記携帯電話１の充電部１２に接続され電源供給を行う充電部２２と、携帯電話１の相互無線通信部１３と無線通信を行う相互無線通信部２３と、上記電源を制御する家電製品の情報を格納するメモリ部２４と、後述するように電源を切り忘れている家電に対し電源をオフする制御信号を送信する信号送信部２５と、を備えている。以下、携帯電話１及び充電器２の構成について、さらに詳述する。
【００２９】
図３に示すように、携帯電話１の制御部１１には、所定のプログラムが組み込まれることで、通信制御部１１ａ（無線通信制御手段）が構築されている。また、図４に示すように、充電器２の制御部２１には、所定のプログラムが組み込まれることで、通信制御部２１ａ（無線通信制御手段）と、電源制御部２１ｂと、が構築されている。そして、各通信制御部１１ａ，２１ａは、常時、携帯電話１と充電器２との充電接続状態を監視し、充電接続状態が解除されたとき、つまり、携帯電話１が充電器２から外されたことを検出すると、各相互無線通信部１３，２３を介して無線通信を行うよう作動する。このように、各通信制御部１１ａ，２１ａと各相互無線通信部１３，２３とは、充電接続状態が解除されたときに相互に無線通信を行う無線通信手段として作動する。なお、各通信制御部１１ａ，２１ａは、再度、携帯電話１が充電器２に設置され充電接続状態になると、無線通信を停止するよう作動する。
【００３０】
さらに、各通信制御部１１ａ，２１ａは、相互無線通信部１３，２３による通信状態を監視し、携帯電話１が家屋外に持ち出されるなど、通信が圏外となり通信不能になったときに、当該通信処理を停止するよう作動する。同時に、充電器２側の通信制御部２１ａは、その旨を電源制御部２１ｂに通知する。なお、各相互無線通信部１３，２３の通信距離は、例えば、携帯電話１が家屋外に持ち出されると通信不可能となるような距離（１０ｍなど）に設定されているとよい。
【００３１】
そして、充電器２の電源制御部２１ｂ（電源制御手段）は、通信制御部２１ａから無線通信ができなくなったことの通知を受けると、信号送信部２５を介して、電気製品６１〜６４の電源のオンオフ制御指令を発する。このとき、メモリ部２４に設定されている電源オンオフ制御情報に基づいて、制御指令を発する。ここで、電源オンオフ制御情報について詳述する。この電源オンオフ制御情報は、まず、ユーザによって携帯電話１に入力され、当該携帯電話１のメモリ部１４に格納される。そして、携帯電話１が充電器２に設置されたときに、充電部２２を介して充電器２のメモリ部２４に送信され当該充電器２のメモリ部２４に格納されることとなる。あるいは、上述したように相互無線通信部１３，２３による無線通信の際に、携帯電話１から充電器２に送信されてもよい。
【００３２】
上述したように充電器２のメモリ部２４に格納される電源オンオフ制御情報の一例を、図５に示す。この例では、電灯６１、テレビ受像機６２は、電源消し忘れの際には電源オフにする設定となっており、冷蔵庫６３は、電源をオフにしない、という設定になっている。これにより、電源をオフにする設定の電気製品に対しては、信号線内臓電源コード４を通じて電源をオフにする指令が発せられる。従って、各電気製品６１〜６４は、それぞれに装備された信号受信機６１ａ〜６１ｄにて電源オフ指令を受けると、電源がオフとなる。
【００３３】
［動作］
次に、上記構成における遠隔制御システムの動作、つまり、携帯電話１と充電器２の動作を、図６のフローチャートを参照して説明する。なお、充電器２のメモリ部２４には、予めユーザにて携帯電話１に入力され、充電の際などに充電器２に送信された図５に示すような電源オンオフ制御情報が記憶されていることとする。
【００３４】
まず、携帯電話１が充電器２に設置された状態で（ステップＳ１）、ユーザが外出しようとして携帯電話１を充電器２から取り外され充電接続状態が解除された場合には（ステップＳ２にてイエス）、相互無線通信部１３，２３により、相互無線通信を自動的に開始される（ステップＳ３、無線通信工程）。
【００３５】
その後、携帯電話１及び充電器２にて、無線通信の状態が監視されるが、通信状態のまま携帯電話１が充電器２に再設置された場合には（ステップＳ４にてイエス）、相互無線通信部１３，２３は相互無線通信を自動的に終了し（ステップＳ５）、携帯電話１と充電器２の設置状態を監視する状態に戻る（ステップＳ１に戻る）。
【００３６】
一方、携帯電話１が充電器２から取り外された後に、携帯電話１が充電器２に再設置されることが無く（ステップＳ４にてノー）、相互無線通信が可能であれば（ステップＳ６にてノー）、携帯電話１と充電器２との設置状態、及び、通信状態の監視を続ける（ステップＳ４に戻る）。そして、相互無線通信の状態を監視し続け、通信が不可能となった場合には（ステップＳ６にてイエス）、充電器２のメモリ部２４に格納されている電源オンオフ制御情報を参照して、電源オンオフ制御指令を発する。具体的に、図５に示す電源オンオフ制御情報が設定されている場合には、電灯６１、および、テレビ受像機６２に対し、信号送信部２５から電源をオフする制御信号を送信する（ステップＳ７、電源制御工程、図１の矢印参照）。すると、電源を切り忘れている電気製品の信号受信機６１ａ，６２ａが電源をオフする制御信号を受け取ることで、当該電気製品の電源がオフとなる。
【００３７】
なお、メモリ部２４に格納されているオフ動作させない電気製品（図５の例では、冷蔵庫６３）対しては、信号送信部２５からの信号を削除し、当該電気製品の電源をオフせずに、常時電源オンの状態にすることができる。
【００３８】
その後（ステップＳ７の後）、あるいは、相互無線通信が不可となった時点で（ステップＳ６の直後）、相互無線通信部１３，２３は相互無線通信を自動的に終了する（ステップＳ８）。
【００３９】
このようにすることにより、ユーザが携帯電話１を持って外出した際には、充電器との無線通信が不可となり、これに応じて消し忘れの電気製品の電源が自動的にオフとなる。従って、電気製品の電源の消し忘れを防止することができる。このとき、携帯電話１と充電器２の間での相互無線通信が行われる期間は、携帯電話１を充電器２に設置した後に充電器２から外された時から、相互無線通信が不可能となるまで、または、充電器２に再設置されるまでの間であり、外出などにおける携帯電話１の通常使用時には相互無線通信は行われていないため、携帯電話１の電力を相互無線通信に余分に消費することを抑制することができる。
【００４０】
また、予め家電製品毎の電源切り忘れ時の対応内容を事前に設定することができるため、家電製品の種類に応じて電源をオフするか、常時起動させるか、ということを任意に設定することができる。従って、冷蔵庫など電源をオフにする必要のない電気製品に対する設定を行うことができ、ユーザの利便性の向上を図ることができる。
【００４１】
ここで、上記では、各電気製品６１〜６４と充電器２とを、信号線内臓電源コード４にて接続した場合を例示したが、信号線内臓の電源コードを用いずに、コンセント部３にて各電気製品６１〜６４の電源をオフにするよう構成してもよい。例えば、コンセント部３に、各電気製品６１〜６４に接続される電源コード毎に対する接続状態を切り替える機能を装備する。そして、コンセント部３は、充電器２からの電源オフ指令に応じて、対応する電気製品への電源コードを切断して電源供給を絶ってもよい。これにより、充電器２からコンセント部３までは信号線内臓電源コードを用いるが、当該コンセント部３から各電気製品６１〜６４までは、信号線が内蔵されていない電源コードを用いることができ、設備コストを軽減することができる。
【００４２】
なお、充電器２による電気製品の電源のオンオフ制御は、必ずしも電源コードを介して行われることに限定されない。他の通信ケーブルを電気製品に接続したり無線通信器を装備することで、有線、無線ネットワークを通じて電源のオンオフ制御を行ってもよい。
【００４３】
また、上記では、電気製品の電源をオフにする場合を説明したが、電源が切られている電気製品の電源をオンにするよう制御してもよい。例えば、外出時には、不審者の侵入を防止すべく玄関の外灯の電源をオンにするよう制御してもよい。
【００４４】
さらに、上記では、充電器２にて電気製品の電源オフ制御を行う場合を例示したが、携帯電話１の通信機能を用いて、データ通信にて各電気製品に対する電源オフ制御指令を送信して、電源のオンオフ制御を行ってもよい。
【実施例２】
【００４５】
次に、本発明の第２の実施例を、図７乃至図１１を参照して説明する。図７は、本実施例における遠隔制御システムの構成を示す図であり、図８乃至図１０は、携帯電話及び充電器の構成を示す図である。図１１は、動作を示すフローチャートである。
【００４６】
本実施例では、特に、上述したように充電器２にて電源が自動的にオフにされた電気製品を、事後的に知ることができるよう構成されていることに特徴を有する。以下、具体的な構成及び動作を説明する。
【００４７】
［構成］
本実施例における遠隔制御システムの構成は、基本的には上述した実施例１の場合と同様である。但し、図７に示すように、各電気製品６１〜６４には、充電器２からの電源のオンオフ制御指令を受信するだけでなく、自ら信号の送信が可能な信号送受信機６１ｂ〜６４ｂを装備している。また、充電器２は、上述したように信号送信機２５の代わりに、図８に示すように信号送受信機２６が装備され、信号線内臓電源コード４に接続されている。これにより、各電気製品６１〜６４にて発信される信号、あるいは、信号送受信機６１ｂ〜６４ｂにて発信される信号を、信号線内臓電源コード４を通じて、充電器２に送信することができ、また、充電器２はこれを受信することができる。
【００４８】
これに伴い、携帯電話１及び充電器は、それぞれ図９、図１０のように構成されている。まず、携帯電話１の制御部１１には、所定のプログラムが組み込まれることで、上述した通信制御部１１ａに加え、表示制御部１１ｂが構築されている。また、充電器２の制御部２１には、所定のプログラムが組み込まれることで、上述した通信制御部２１ａ、電源制御部２１ｂに加え、表示出力部２１ｃが構築されている。これら各部について、さらに詳述する。
【００４９】
まず、本実施例における充電器２の電源制御部２１ｂ（電源制御手段）は、電源をオフにした電気製品６１〜６４の信号送受信機６１ｂ〜６４ｂと相互に通信し、当該電気製品を特定する情報（例えば、電気製品名）を取得する機能を有する。このとき、電源がオフにされた時刻情報も、信号送受信機６１ｂ〜６４ｂから取得したり、あるいは、充電器２内のシステムタイマーから取得する。そして、取得した電気製品特定情報及び時刻情報を、一旦、メモリ部２４に格納する。
【００５０】
また、充電器２に構築された表示出力部２１ｃ（出力手段）は、充電器２に携帯電話１が載置されたことを検出すると、充電部２２を通じて、メモリ部２４に格納された電気製品特定情報及び時刻情報を、携帯電話１に対して出力する。
【００５１】
これに応じて、携帯電話１の表示制御部１１ｂは、充電器２から送信された電源がオフにされた電気製品を特定する情報と時刻情報とを、充電部１２を介して受信し、メモリ部１４に格納する。そして、表示制御部１１ｂは、受信直後や次に充電器２から取り出された際に、メモリ部１４から電気製品特定情報と時刻情報とを読み出して、液晶表示部１５（表示部）に表示出力する。
【００５２】
［動作］
次に、本実施例における遠隔制御システムの動作、つまり、携帯電話１と充電器２の動作を、図１１のフローチャートを参照して説明する。
【００５３】
まず、携帯電話１が充電器２に設置されると（ステップＳ１１）、充電器２に対して前回に電源を切り忘れた電気製品（家電）があるか否かが問い合わせられる（ステップＳ１２）。ここでは、無いこととして（ステップＳ１２にてノー）、ステップＳ１４に進む。そして、上述同様に、ユーザが外出しようとして携帯電話１を充電器２から取り外され充電接続状態が解除された場合には（ステップＳ１４にてイエス）、相互無線通信部１３，２３により、相互無線通信を自動的に開始される（ステップＳ１５、無線通信工程）。
【００５４】
その後、携帯電話１及び充電器２にて、無線通信の状態が監視され、通信状態のまま携帯電話１が充電器２に再設置された場合には（ステップＳ１６にてイエス）、相互無線通信部１３，２３は相互無線通信を自動的に終了し（ステップＳ１７）、携帯電話１と充電器２の設置状態を監視する状態に戻る（ステップＳ１４に戻る）。一方、携帯電話１が充電器２から取り外された後に、通信が不可能となった場合には（ステップＳ１６にてノー、ステップＳ１８にてイエス）、充電器２のメモリ部２４に格納されている電源オンオフ制御情報を参照して、電源オンオフ制御指令を発する。例えば、電灯６１、および、テレビ受像機６２に対し、信号送受信部２６から電源をオフする制御信号を送信する（ステップＳ１９、電源制御工程）。すると、電源を切り忘れている電気製品の信号送受信機６１ｂ，６２ｂが電源をオフする制御信号を受け取ることで、当該電気製品の電源がオフとなる。
【００５５】
このとき、電源がオフとされた電気製品の信号送受信機６１ｂ，６２ｂからは、充電器２の信号送受信部２６に対して、対象の家電名とその時刻情報が送信されるため、充電器２はかかる情報を受信して、メモリ部２４へと格納する（ステップＳ２０）。その後（ステップＳ２０の後）、あるいは、相互無線通信が不可となった時点で（ステップＳ１８の直後）、相互無線通信部１３，２３は相互無線通信を自動的に終了する（ステップＳ２１）。
【００５６】
さらに、その後、ユーザが帰宅し、充電器２に携帯電話１が設置されると（開始に戻ってステップＳ１１）、携帯電話１は前回電源を切り忘れた家電の有無を確認し（ステップＳ１２）、今度は電源を切り忘れた電気製品があったため（ステップＳ１２にてイエス）、充電器２のメモリ部２４に格納された情報が携帯電話１に送信され、携帯電話１にて取得される。すると、携帯電話１の液晶表示部１５に、電源を切り忘れていた家電名とその時刻が表示される（ステップＳ１３、出力工程）。その後、対象の家電名とその時刻を格納していた充電器２のメモリ部２４は初期化される。
【００５７】
このようにすることで、ユーザは、前回の外出時に、どの電気製品の電源を消し忘れたかを確認することができる。従って、次回に外出する際に、ユーザは十分に注意を払うことができ、電気製品の電源の消し忘れを有効に防止することができる。
【産業上の利用可能性】
【００５８】
本発明によると、携帯電話及び充電器を、家電などの電気製品の電源のオンオフを遠隔にて制御するために用いることができ、産業上の利用可能性を有する。
【図面の簡単な説明】
【００５９】
【図１】実施例１における遠隔制御システムの構成を示す概略図である。
【図２】実施例１における携帯電話と充電器の構成を示すブロック図である。
【図３】実施例１における携帯電話の構成を示すブロック図である。
【図４】実施例１における充電器の構成を示すブロック図である。
【図５】携帯電話に記憶されるデータの一例を示す図である。
【図６】実施例１における遠隔制御システムの動作を示すフローチャートである。
【図７】実施例２における遠隔制御システムの構成を示す概略図である。
【図８】実施例２における携帯電話と充電器の構成を示すブロック図である。
【図９】実施例２における携帯電話の構成を示すブロック図である。
【図１０】実施例２における充電器の構成を示すブロック図である。
【図１１】実施例２における遠隔制御システムの動作を示すフローチャートである。
【符号の説明】
【００６０】
１  携帯電話
２  充電器
３  コンセント部
４  信号線内臓電源コード
５  信号ラインネットワーク
１１  制御部（携帯電話側）
１２  充電部（携帯電話側）
１３  相互無線通信部（携帯電話側）
１４  メモリ部（携帯電話側）
１５  液晶表示部
２１  制御部（充電器側）
２２  充電部（充電器側）
２３  相互無線通信部（充電器側）
２４  メモリ部（充電器側）
２５  信号送信部
２６  信号送受信部
６１  電灯
６２  テレビ受像機
６３  冷蔵庫
６４  その他家電
１１ａ  通信制御部（携帯電話側）
１１ｂ  表示制御部
２１ａ  通信制御部（充電器側）
２１ｂ  電源制御部
２１ｃ  表示出力部
６１ａ〜６４ａ  信号受信機
６１ｂ〜６４ｂ  信号送受信機
【図１】
2007281857.tif 000003
【図２】
2007281857.tif 000004
【図３】
2007281857.tif 000005
【図４】
2007281857.tif 000006
【図５】
2007281857.tif 000007
【図６】
2007281857.tif 000008
【図７】
2007281857.tif 000009
【図８】
2007281857.tif 000010
【図９】
2007281857.tif 000011
【図１０】
2007281857.tif 000012
【図１１】
2007281857.tif 000013